【事件の表示】
　特願２００４−１８６２８０「液晶表示装置の駆動装置及び駆動方法」拒絶査定不服審判事件〔平成１７年　１月２０日出願公開、特開２００５−　２０７４９〕について、次のとおり審決する。
【結　論】
　本件審判の請求は、成り立たない。
【理　由】
第１　経緯等
１．手続
　本件出願は、平成１６年６月２４日（パリ条約による優先権主張２００３年６月２４日、大韓民国）の出願（特願２００４−１８６２８０号）であって、平成１８年６月１日付けで拒絶の理由が通知され、これに対し、平成１８年１２月５日付けで意見書が提出されると同時に手続補正がなされたが、平成１８年１２月２１日付けで拒絶査定がなされた。
　本件は、上記拒絶査定を不服として平成１９年３月２３日に請求された拒絶査定不服審判であり、平成１９年４月６日付けで手続補正（明細書、特許請求の範囲又は図面について請求の日から３０日以内にする補正）がなされた。
　
２．査定
　原審での査定の理由は、概略、以下のとおりである。
　
　本願の各請求項に係る発明は、下記刊行物に記載された発明及び周知技術に基づいて当業者が容易に発明をすることができたものであるから、特許法第２９条第２項の規定により、特許を受けることができない。
　　　　　　　　　　　　　　　　　記
刊行物１：特開２０００−３３８９２５号公報
刊行物２：特開昭６２−２４７２６５号公報
刊行物３：特開昭６１−１５８２４７号公報
刊行物４：特開平６−５４０４４号公報
刊行物５：特開昭６２−２１９２００号公報
　
第２　平成１９年４月６日付けの手続補正についての補正却下の決定
　
［補正却下の決定の結論］
　　平成１９年４月６日付けの手続補正を却下する。
　
［補正却下の決定の理由］
１．本件補正
　本件補正は、特許請求の範囲についてするものであり、補正前に
「　　【請求項１】
　ゲートラインとデータラインの交差部毎に液晶セルが配列されてテレビ放送によって入力される映像信号と異なる映像フォーマットで前記映像信号を表示するための液晶パネルと、使用者の操作によりパルス信号を生成するスイッチと、前記パルス信号をカウンティングするカウンターと、前記カウンターから供給される入力信号に応答して前記液晶パネルに表示される前記映像信号の横及び縦の比率を調整することによって前記映像信号の映像フォーマットを変更するタイミング制御部と、を具備することを特徴とする液晶表示装置の駆動装置。
　　【請求項２】
　前記スイッチと前記カウンターとの間に配置されて、前記パルス信号のノイズをとり除いて前記カウンターに供給するプルリブプルロブをさらに具備することを特徴とする請求項１記載の液晶表示装置の駆動装置。
　　【請求項３】
　外部から前記映像信号を供給受けて前記タイミング制御部に供給する映像信号処理部と、前記液晶パネルのデータラインを駆動させるためのデータドライバーと、前記液晶パネルのゲートラインを駆動させるためのゲートドライバーと、をさらに具備することを特徴とする請求項１記載の液晶表示装置の駆動装置。
　　【請求項４】
　前記映像フォーマットは前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項３記載の液晶表示装置の駆動装置。
　　【請求項５】
　前記第１映像フォーマットは、前記入力される映像信号と、前記映像信号の周辺に表示されるブラック信号を含むことを特徴とする請求項４記載の液晶表示装置の駆動装置。
　　【請求項６】
　前記第３映像フォーマットは、前記入力される映像信号の映像フォーマットから横及び縦の割合が一定の割合で拡大されて表示される映像信号と、前記映像信号の上側及び下側端に表示されるブラック信号と、を含むことを特徴とする請求項４記載の液晶表示装置の駆動装置。
　　【請求項７】
　前記第３映像フォーマットは、前記入力映像信号の映像フォーマットから横及び縦の割合が一定の割合で拡大されて表示される映像信号と、前記映像信号の左側及び右側端に表示されるブラック信号と、を含むことを特徴とする請求項４記載の液晶表示装置の駆動装置。
　　【請求項８】
　前記タイミング制御部は、前記カウンターからの入力信号に応答して前記第１乃至第３映像フォーマットの中からいずれかの映像フォーマットを選択して選択された映像フォーマットによって前記ゲートドライバー及び前記データドライバーを制御することを特徴とする請求項４記載の液晶表示装置の駆動装置。
　　【請求項９】
　前記カウンター及びプルリブプルロブの中から少なくとも一つは、前記タイミング制御部に内臓されることを特徴とする請求項２記載の液晶表示装置の駆動装置。
　　【請求項１０】
　テレビ放送によって入力される映像信号を表示するための液晶パネルと、使用者の操作により前記液晶パネルに表示される前記映像信号の横及び縦の割合の比を変更して前記映像信号の映像フォーマットを変更するデータ変換部と、前記データ変換部からの前記映像信号を変更された前記映像フォーマットにより前記液晶パネルに供給するデータ駆動部と、を具備することを特徴とする液晶表示装置の駆動装置。
　　【請求項１１】
　前記データ変換部は使用者の操作によりパルス信号を生成するスイッチと、前記パルス信号をカウンティングするカウンターと、前記カウンターから供給される入力信号に応答して前記液晶パネルに表示される前記映像信号の映像フォーマットを変更するタイミング制御部と、を具備することを特徴とする請求項１０記載の液晶表示装置の駆動装置。
　　【請求項１２】
　前記データ変換部は、前記スイッチと前記カウンターとの間に配置されて前記パルス信号のノイズをとり除いて前記カウンターに供給するプルリブプルロブをさらに具備することを特徴とする請求項１１記載の液晶表示装置の駆動装置。
　　【請求項１３】
　外部から前記映像信号を供給受けて前記タイミング制御部に供給する映像信号処理部と、前記液晶パネルにスキャン信号を供給するゲートドライバーと、をさらに具備することを特徴とする請求項１１記載の液晶表示装置の駆動装置。
　　【請求項１４】
　前記映像フォーマットは、前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項１３記載の液晶表示装置の駆動装置。
　　【請求項１５】
　前記第１映像フォーマットは、前記入力される映像信号と、前記映像信号の周辺に表示されるブラック信号と、を含むことを特徴とする請求項１４記載の液晶表示装置の駆動装置。
　　【請求項１６】
　前記第３映像フォーマットは、前記入力される映像信号の映像フォーマットから横及び縦の割合が一定の割合で拡大されて表示される映像信号と、前記映像信号の上側及び下側端に表示されるブラック信号と、を含むことを特徴とする請求項１４記載の液晶表示装置の駆動装置。
　　【請求項１７】
　前記第３映像フォーマットは、前記入力映像信号の映像フォーマットから横及び縦が一定の割合で拡大されて表示される映像信号と、前記映像信号の左側及び右側端に表示されるブラック信号と、を含むことを特徴とする請求項１４記載の液晶表示装置の駆動装置。
　　【請求項１８】
　前記タイミング制御部は、前記カウンターからの入力信号に応答して前記第１乃至第３映像フォーマットの中からいずれかの映像フォーマットを選択して、選択された映像フォーマットにより前記ゲートドライバー及び前記データドライバーを制御することを特徴とする請求項１４記載の液晶表示装置の駆動装置。
　　【請求項１９】
　ゲートラインとデータラインの交差部それぞれに液晶セルが配列されてテレビ放送によって入力される映像信号と異なる映像フォーマットで前記映像信号を表示するための液晶パネルを用意する工程と、使用者の操作によりパルス信号を生成する工程と、カウンターを利用して前記パルス信号をカウンティングする工程と、前記カウンターから供給される入力信号に応答して前記液晶パネルに表示される前記映像信号の横及び縦の比率を調整することによって前記映像信号の映像フォーマットを変更する工程と、を含むことを特徴とする液晶表示装置の駆動方法。
　　【請求項２０】
　前記パルス信号のノイズをとり除いて前記カウンターに供給する工程をさらに含むことを特徴とする請求項１９記載の液晶表示装置の駆動方法。
　　【請求項２１】
　前記映像フォーマットは、前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求港１９記載の液晶表示装置の駆動方法。
　　【請求項２２】
　前記第１映像フォーマットは、前記入力される映像信号と、前記映像信号の周辺に表示されるブラック信号と、を含むことを特徴とする請求項１９記載の液晶表示装置の駆動方法。
　　【請求項２３】
　前記第３映像フォーマットは、前記入力される映像信号の映像フォーマットから横及び縦が一定の割合で拡大されて表示される映像信号と、前記映像信号の上側及び下側端に表示されるブラック信号と、を含むことを特徴とする請求項１９記載の液晶表示装置の駆動方法。
　　【請求項２４】
　前記第３映像フォーマットは、前記入力映像信号の映像フォーマットから横及び縦の割合が一定の割合で拡大されて表示される映像信号と、前記映像信号の左側及び右側端に表示されるブラック信号と、を含むことを特徴とする請求項１９記載の液晶表示装置の駆動方法。
　　【請求項２５】
　前記液晶パネルに表示される前記映像信号の映像フォーマットを変更する工程は、前記カウンターからの入力信号に応答して前記第１乃至第３映像フォーマットの中からいずれかの映像フォーマットを選択する工程と、前記選択された映像フォーマットにより前記ゲートラインを駆動させるためのゲートドライバー及び前記データラインを駆動させるためのデータドライバーを制御する工程と、を含むことを特徴とする請求項１９記載の液晶表示装置の駆動方法。」
とあったものを、
「　　【請求項１】
　ゲートラインとデータラインの交差部毎に液晶セルが配列されてテレビ放送によって入力される映像信号と異なる映像フォーマットで前記映像信号を表示するための液晶パネルと、使用者の映像フォーマットの選択のためのスイッチング操作によりパルス信号を生成するスイッチと、前記パルス信号によって表示される前記使用者のスイッチング操作回数をカウンティングするカウンターと、前記カウンターから供給される入力信号に応答して前記液晶パネルに表示される前記映像信号の横及び縦の比率を調整することによって前記映像信号の映像フォーマットを変更するタイミング制御部と、を具備し、前記入力信号は、前記使用者のスイッチング操作回数によって変更されることを特徴とする液晶表示装置の駆動装置。
　　【請求項２】
　前記スイッチと前記カウンターとの間に配置されて、前記パルス信号のノイズをとり除いて前記カウンターに供給するプルリブプルロブをさらに具備することを特徴とする請求項１記載の液晶表示装置の駆動装置。
　　【請求項３】
　外部から前記映像信号を供給受けて前記タイミング制御部に供給する映像信号処理部と、前記液晶パネルのデータラインを駆動させるためのデータドライバーと、前記液晶パネルのゲートラインを駆動させるためのゲートドライバーと、をさらに具備することを特徴とする請求項１記載の液晶表示装置の駆動装置。
　　【請求項４】
　前記映像フォーマットは前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項３記載の液晶表示装置の駆動装置。
　　【請求項５】
　前記第１映像フォーマットは、前記入力される映像信号と、前記映像信号の周辺に表示されるブラック信号を含むことを特徴とする請求項４記載の液晶表示装置の駆動装置。
　　【請求項６】
　前記第３映像フォーマットは、前記入力される映像信号の映像フォーマットから横及び縦の割合が一定の割合で拡大されて表示される映像信号と、前記映像信号の上側及び下側端に表示されるブラック信号と、を含むことを特徴とする請求項４記載の液晶表示装置の駆動装置。
　　【請求項７】
　前記第３映像フォーマットは、前記入力映像信号の映像フォーマットから横及び縦の割合が一定の割合で拡大されて表示される映像信号と、前記映像信号の左側及び右側端に表示されるブラック信号と、を含むことを特徴とする請求項４記載の液晶表示装置の駆動装置。
　　【請求項８】
　前記タイミング制御部は、前記カウンターからの入力信号に応答して前記第１乃至第３映像フォーマットの中からいずれかの映像フォーマットを選択して選択された映像フォーマットによって前記ゲートドライバー及び前記データドライバーを制御することを特徴とする請求項４記載の液晶表示装置の駆動装置。
　　【請求項９】
　前記カウンター及びプルリブプルロブの中から少なくとも一つは、前記タイミング制御部に内臓されることを特徴とする請求項２記載の液晶表示装置の駆動装置。
　　【請求項１０】
　テレビ放送によって入力される映像信号を表示するための液晶パネルと、使用者の操作により前記液晶パネルに表示される前記映像信号の横及び縦の割合の比を変更して前記映像信号の映像フォーマットを変更するデータ変換部と、前記データ変換部からの前記映像信号を変更された前記映像フォーマットにより前記液晶パネルに供給するデータ駆動部と、を具備し、前記データ変換部は使用者の映像フォーマットの選択のためのスイッチング操作によってパルス信号を生成するスイッチと、前記パルス信号によって表示される前記使用者のスイッチング操作回数をカウンティングするカウンターと、前記カウンターから供給される入力信号に応答して前記液晶パネルに表示される前記映像信号の映像フォーマットを変更するタイミング制御部と、を具備し、前記入力信号は、前記使用者のスイッチング操作回数によって変更されることを特徴とする液晶表示装置の駆動装置。
　　【請求項１１】
　前記データ変換部は、前記スイッチと前記カウンターとの間に配置されて前記パルス信号のノイズをとり除いて前記カウンターに供給するプルリブプルロブをさらに具備することを特徴とする請求項１０記載の液晶表示装置の駆動装置。
　　【請求項１２】
　外部から前記映像信号を供給受けて前記タイミング制御部に供給する映像信号処理部と、前記液晶パネルにスキャン信号を供給するゲートドライバーと、をさらに具備することを特徴とする請求項１０記載の液晶表示装置の駆動装置。
　　【請求項１３】
　前記映像フォーマットは、前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項１２記載の液晶表示装置の駆動装置。
　　【請求項１４】
　前記第１映像フォーマットは、前記入力される映像信号と、前記映像信号の周辺に表示されるブラック信号と、を含むことを特徴とする請求項１３記載の液晶表示装置の駆動装置。
　　【請求項１５】
　前記第３映像フォーマットは、前記入力される映像信号の映像フォーマットから横及び縦の割合が一定の割合で拡大されて表示される映像信号と、前記映像信号の上側及び下側端に表示されるブラック信号と、を含むことを特徴とする請求項１３記載の液晶表示装置の駆動装置。
　　【請求項１６】
　前記第３映像フォーマットは、前記入力映像信号の映像フォーマットから横及び縦が一定の割合で拡大されて表示される映像信号と、前記映像信号の左側及び右側端に表示されるブラック信号と、を含むことを特徴とする請求項１３記載の液晶表示装置の駆動装置。
　　【請求項１７】
　前記タイミング制御部は、前記カウンターからの入力信号に応答して前記第１乃至第３映像フォーマットの中からいずれかの映像フォーマットを選択して、選択された映像フォーマットにより前記ゲートドライバー及び前記データドライバーを制御することを特徴とする請求項１３記載の液晶表示装置の駆動装置。
　　【請求項１８】
　ゲートラインとデータラインの交差部それぞれに液晶セルが配列されてテレビ放送によって入力される映像信号と異なる映像フォーマットで前記映像信号を表示するための液晶パネルを用意する工程と、使用者の映像フォーマットの選択のためのスイッチング操作によりパルス信号を生成する工程と、カウンターを利用して前記パルス信号によって表示される前記使用者のスイッチング操作回数をカウンティングする工程と、前記カウンターから供給される入力信号に応答して前記液晶パネルに表示される前記映像信号の横及び縦の比率を調整することによって前記映像信号の映像フォーマットを変更する工程と、を含み、前記入力信号は、前記使用者のスイッチング操作回数によって変更されることを特徴とする液晶表示装置の駆動方法。
　　【請求項１９】
　前記パルス信号のノイズをとり除いて前記カウンターに供給する工程をさらに含むことを特徴とする請求項１８記載の液晶表示装置の駆動方法。
　　【請求項２０】
　前記映像フォーマットは、前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項１８記載の液晶表示装置の駆動方法。
　　【請求項２１】
　前記第１映像フォーマットは、前記入力される映像信号と、前記映像信号の周辺に表示されるブラック信号と、を含むことを特徴とする請求項１８記載の液晶表示装置の駆動方法。
　　【請求項２２】
　前記第３映像フォーマットは、前記入力される映像信号の映像フォーマットから横及び縦が一定の割合で拡大されて表示される映像信号と、前記映像信号の上側及び下側端に表示されるブラック信号と、を含むことを特徴とする請求項１８記載の液晶表示装置の駆動方法。
　　【請求項２３】
　前記第３映像フォーマットは、前記入力映像信号の映像フォーマットから横及び縦の割合が一定の割合で拡大されて表示される映像信号と、前記映像信号の左側及び右側端に表示されるブラック信号と、を含むことを特徴とする請求項１８記載の液晶表示装置の駆動方法。
　　【請求項２４】
　前記液晶パネルに表示される前記映像信号の映像フォーマットを変更する工程は、前記カウンターからの入力信号に応答して前記第１乃至第３映像フォーマットの中からいずれかの映像フォーマットを選択する工程と、前記選択された映像フォーマットにより前記ゲートラインを駆動させるためのゲートドライバー及び前記データラインを駆動させるためのデータドライバーを制御する工程と、を含むことを特徴とする請求項１８記載の液晶表示装置の駆動方法。」
と補正しようとするものである。
　
２．補正の目的、範囲
（１）補正事項の概要
　本件補正による、本件補正前、本件補正後の請求項の関係は次のとおりである。
本件補正前　　本件補正後
請求項１　　　　請求項１
請求項２　　　　請求項２
請求項３　　　　請求項３
請求項４　　　　請求項４
請求項５　　　　請求項５
請求項６　　　　請求項６
請求項７　　　　請求項７
請求項８　　　　請求項８
請求項９　　　　請求項９
請求項１０　　　　削除
請求項１１　　　請求項１０
請求項１２　　　請求項１１
請求項１３　　　請求項１２
請求項１４　　　請求項１３
請求項１５　　　請求項１４
請求項１６　　　請求項１５
請求項１７　　　請求項１６
請求項１８　　　請求項１７
請求項１９　　　請求項１８
請求項２０　　　請求項１９
請求項２１　　　請求項２０
請求項２２　　　請求項２１
請求項２３　　　請求項２２
請求項２４　　　請求項２３
請求項２５　　　請求項２４
　
　そして、特許請求の範囲についてする補正は、以下の補正事項を含む。
ア　補正前請求項１を補正後請求項１とする補正
イ　補正前請求項１０を削除し、これに伴い、請求項番号を一つずつ繰り上げる補正
ウ　補正前請求項１１を補正後請求項１０とする補正
エ　補正前請求項１９を補正後請求項１８とする補正
　
（２）補正の目的
　このうち、上記「エ　補正前請求項１９を補正後請求項１８とする補正」は、補正前の請求項１９において
「使用者の操作」、
「パルス信号をカウンティングする工程」、
「カウンターから供給される入力信号に応答して・・・前記映像信号の映像フォーマットを変更する工程と、を含むことを特徴とする」
とあるものを、それぞれ、
「使用者の映像フォーマットの選択のためのスイッチング操作」、
「パルス信号によって表示される前記使用者のスイッチング操作回数をカウンティングする工程」、
「前記カウンターから供給される入力信号に応答して・・・前記映像信号の映像フォーマットを変更する工程と、を含み、前記入力信号は、前記使用者のスイッチング操作回数によって変更されることを特徴とする」
と補正するものである。
　「使用者の操作」を「使用者の映像フォーマットの選択のためのスイッチング操作」とする補正は、操作を限定するものであり、「パルス信号をカウンティングする工程」を「パルス信号によって表示される前記使用者のスイッチング操作回数をカウンティングする工程」とする補正は、カウンターがカウンティングする対象を限定するものである。そして、「カウンターから供給される入力信号に応答して・・・前記映像信号の映像フォーマットを変更する工程と、を含むことを特徴とする」を「カウンターから供給される入力信号に応答して・・・前記映像信号の映像フォーマットを変更する工程と、を含み、前記入力信号は、前記使用者のスイッチング操作回数によって変更されることを特徴とする」とする補正は、入力信号に関する限定をするものである。また、当該補正は本件補正前の請求項１９に記載された発明と産業上の利用分野及び解決しようとする課題も同一であるから、当該補正は特許法第１７条の２第４項第２号に掲げる事項である限定的減縮を目的とするものであるといえる。
　なお、当該補正は、補正前請求項１９を引用する補正前請求項２０ないし２５についても、引用する請求項番号の繰り上がりを除き補正後の請求項の記載自体は変わらず、補正前請求項１９と同様の限定的減縮をするに留まるものであるから、補正前請求項２０ないし２５を補正後請求項１９ないし２４とする補正は、特許法第１７条の２第４項第２号に掲げる事項である限定的減縮を目的とするものであるといえる。
　
　また、上記「ア　補正前請求項１を補正後請求項１とする補正」及び「ウ　補正前請求項１１を補正後請求項１０とする補正」も、その内容は上記「エ」と同様な補正であり、これらの補正も特許法第１７条の２第４項第２号に掲げる事項である限定的減縮を目的とするものである。
　
　上記「イ　補正前請求項１０を削除し、これに伴い、請求項番号を一つずつ繰り上げる補正」は、補正前請求項１０を削除するものであり、当該補正は特許法第１７条の２第４項第１号に掲げる事項である請求項の削除を目的とするものである。
　
　したがって、本件補正は、特許法第１７条の２第４項に掲げる事項を目的とするものであるといえる。
　
（３）補正の範囲
　本件補正は、本件出願の願書に最初に添付した明細書の記載（段落【００６１】〜【００６５】等）に基づくものであり、願書に最初に添付した明細書、特許請求の範囲又は図面に記載した事項の範囲内においてする補正である。
　
３．独立特許要件
　本件補正後における特許請求の範囲に記載されている事項により構成される発明が特許出願の際独立して特許を受けることができるものであるか否かを、補正後の請求項１８に係る発明（以下、「本願補正発明」という。）について以下に検討する。
　
（１）引用刊行物の記載
　原査定の拒絶の理由に引用された特開２０００−３３８９２５号公報（以下、「刊行物１」という。）には、図面とともに次の記載がある。
　
ア　「【０００１】
【発明の属する技術分野】本発明は、ＬＣＤ等の映像表示装置に関し、特に、異なる規格の、複数種類の映像信号を表示させることができる映像表示装置に関する。」
　
イ　「【０００５】
【発明が解決しようとする課題】しかし、上記の方法では大容量のメモリを必要とするので、装置のコストが高くなり、また消費電力も大きくなるという問題がある。
【０００６】本発明は、上記の問題を解決するためになされたもので、大容量のメモリを必要とせずに、異なる規格の、複数種類の映像信号を表示させることができる映像表示装置を提供するものである。」
　
ウ　「【０００７】
【課題を解決するための手段】本発明の映像表示装置は、入力映像信号を、該入力映像信号の形式と異なる形式の映像として、複数の画素がマトリクス配置された表示パネルに表示させる映像表示装置であって、前記入力映像信号をデジタル信号に変換するとともに、変換されたデジタル信号を処理する映像信号処理回路と、該映像信号処理回路のクロック信号を生成するＰＬＬ回路と、前記入力映像信号から、該入力映像信号の形式を判別する判別手段と、前記表示パネルに表示させる映像の形式を指定する指定手段と、前記表示パネルに表示させる映像の形式に対応させて、前記表示パネルを駆動するゲートドライバーの制御信号及び前記表示パネルを駆動するソースドライバーの制御信号を生成するドライバー制御信号発生手段と、前記判別手段による入力映像信号の形式判別及び前記指定手段による表示形式の指定に基づいて、前記ドライバー制御信号発生手段から出力されるゲートドライバーの制御信号及びソースドライバーの制御信号を選択するドライバー制御信号切り替え手段と、前記判別手段による入力映像信号の形式判別及び前記指定手段による表示形式の指定に基づいて前記ＰＬＬ回路のクロック信号を制御するＰＬＬ信号制御手段とを備えたものである。
【０００８】本発明の映像表示装置によれば、入力映像信号の形式判別及び表示形式の指定に基づいて、ゲートドライバーの制御信号及びソースドライバーの制御信号をそれぞれ切り替えてソースドライバー及びゲートドライバーを制御すると同時に、入力映像信号の形式判別及び表示形式の指定に基づいてＰＬＬ回路のクロック信号を制御して映像信号処理回路の処理を行うので、大容量のメモリを用いることなく、入力映像信号を、入力映像信号と異なる形式の映像として表示パネルに表示させることが出来る。」
　
エ　「【００１３】
【発明の実施の形態】図１を参照し、本発明の一実施形態である映像表示装置の構成を説明する。水平同期信号ＨＤと垂直同期信号ＶＤとが、自動判別回路１に入力されている。この自動判別回路１は、映像表示装置に入力された映像信号が、ＮＴＳＣなのか、あるいはＰＡＬなのかを自動判別する回路である。自動判別回路１が出力する自動判別信号ＡＤは、ＰＬＬコントロール信号発生回路２、ＴＦＴ−ＬＣＤドライバーコントロール回路３および分周クロック切り替え回路７に入力されている。ＰＬＬコントロール信号発生回路２およびＴＦＴ−ＬＣＤドライバーコントロール回路３には、さらに、４：３／１６：９切り替え信号Ｋ１、ノーマル／拡大切り替え信号Ｋ２、ＨＤＴＶ切り替え信号Ｋ３、１０８０／１０３５切り替え信号Ｋ４が入力されている。
【００１４】前記水平同期信号ＨＤ、垂直同期信号ＶＤ、およびクロック信号ＣＬＫは、前記ＰＬＬコントロール信号発生回路２に入力され、このＰＬＬコントロール信号発生回路２は制御信号ＣＮＴを出力し、この制御信号ＣＮＴはＰＬＬ回路４に入力されている。ＰＬＬ回路４からは、前記クロック信号ＣＬＫが出力されている。
【００１５】前記水平同期信号ＨＤおよび垂直同期信号ＶＤは、Ｖカウンター５にも入力されていて、このＶカウンター５の出力は、前記ＴＦＴ−ＬＣＤドライバーコントロール回路３に入力されている。また、水平同期信号ＨＤおよびクロック信号ＣＬＫは、Ｈカウンター６に入力されていて、このＨカウンター６の出力は、前記ＴＦＴ−ＬＣＤドライバーコントロール回路３に入力されている。なお、前記クロック信号ＣＬＫは、前記ＴＦＴ−ＬＣＤドライバーコントロール回路３に直接入力されてもいる。
【００１６】クロック信号ＣＬＫ、前記各切り替え信号Ｋ１〜Ｋ４および自動判別信号ＡＤが、分周クロック切り替え回路７に入力され、この分周クロック切り替え回路７の出力であるドライバークロックは、ソースドライバー８に入力されている。また、前記ＴＦＴ−ＬＣＤドライバーコントロール回路３の出力は、ソースドライバー８およびゲートドライバー９に入力されている。ソースドライバー８およびゲートドライバー９の出力は、ＴＦＴ−ＬＣＤ１０に入力されている。
【００１７】映像表示装置に入力された映像信号は、映像信号処理回路２１に入力される。この映像信号処理回路２１は、Ａ／Ｄ変換回路２２、ピーキング回路１１、ブランキングマーカー挿入回路１２、余白挿入回路１３、タリー／インジケーター挿入回路１４、映像データ並べ替え回路１５を内蔵している。映像信号処理回路２１に入力された映像信号は、Ａ／Ｄ変換回路２２に入力され、このＡ／Ｄ変換回路２２の出力はピーキング回路１１に入力され、このピーキング回路１１の出力はブランキングマーカー挿入回路１２に入力され、このブランキングマーカー挿入回路１２の出力は余白挿入回路１３に入力され、この余白挿入回路１３の出力はタリー／インジケーター挿入回路１４に入力され、このタリー／インジケーター挿入回路１４の出力は映像データ並べ替え回路１５に入力されている。この映像データ並べ替え回路１５の出力は、映像信号処理回路２１の出力となっていて、この出力は、前記ソースドライバー８に入力されている。」
　
オ　「【００２７】ＴＦＴ−ＬＣＤ１０は、横方向に９６０画素、縦方向に５４０画素を有する。この画面に、画素数あるいは縦横比が異なる映像を表示させると、映像が表示されない余白領域が生じる。
【００２８】映像表示装置に入力される映像信号の種類には、ＮＴＳＣ、ＰＡＬ、ＨＤＴＶがある。さらに、ＨＤＴＶには、走査線本数が１０８０本のものと、１０３５本のものがある。
【００２９】また、ＴＦＴ−ＬＣＤ１０に映像を表示させる際の選択肢として、ＮＴＳＣが入力された場合には、入力された映像をそのまま表示させる方法、すなわちノーマル表示と、拡大して表示させる方法、すなわち拡大表示とがある。また、ＮＴＳＣまたはＰＡＬが入力された場合、縦横比を４：３のままで表示させるか、あるいは１６：９として表示させるかが選択される。
【００３０】図４に、上記の入力信号の種類と表示方法との組み合わせ、すなわちＮＴＳＣノーマル４：３、ＮＴＳＣノーマル１６：９、ＮＴＳＣ拡大４：３、ＮＴＳＣ拡大１６：９、ＰＡＬ４：３、ＰＡＬ１６：９、ＨＤＴＶ１０８０、ＨＤＴＶ１０３５に対する画素数、走査線本数、走査線変更方法、クロックの周波数、クロックの分周数の一覧表を示す。」
　
カ　「【００４１】次に、図３を参照し、ＴＦＴ−ＬＣＤドライバーコントロール回路３内部の動作を説明する。前記Ｖカウンター５の出力Ｖ＿ＣおよびＨカウンター６の出力Ｈ＿Ｃが、各ＬＣＤドライバーコントロール回路２３〜３０に入力される。各ＬＣＤドライバーコントロール回路２３〜３０は、各表示形式に応じたドライバーコントロール信号を出力する。これらのドライバーコントロール信号は、全て、切り替え回路３１に入力される。切り替え回路３１では、入力されたドライバーコントロール信号の中から、所望のドライバーコントロール信号のみが選択され、出力される。
【００４２】ドライバーコントロール信号の選択は、切り替え回路３１に入力される４：３／１６：９切り替え信号Ｋ１、ノーマル／拡大切り替え信号Ｋ２、ＨＤＴＶ切り替え信号Ｋ３、１０８０／１０３５切り替え信号Ｋ４、自動判別信号ＡＤに基づいて行われる。切り替え回路３１からの出力は、ソースドライバーコントロール信号とゲートドライバーコントロール信号とに分割されて出力され、これらの出力は、それぞれソースドライバー８とゲートドライバー９とに入力される。
【００４３】ＴＦＴ−ＬＣＤドライバーコントロール回路３は、例えば、水平方向の表示開始位置を決めるために、ソースドライバー８にスタートパルスを送る。ソースドライバー８は、１水平期間中のスタートパルスが入力された時点から余白領域の描画を開始する。
【００４４】スタートパルス出力タイミングの切替方法について説明する。ＴＦＴ−ＬＣＤドライバーコントロール回路３が内蔵する各ＬＣＤドライバーコントロール回路２３〜３０は、全ての表示方式に対応したスタートパルスを作成する。これらのスタートパルスの中から、表示する形式に合ったスタートパルスが、図７に示す、切り替え回路３１が内蔵するマルチプレクサー１９によって選択される。選択されたスタートパルスは、ソースドライバーコントロール信号として、ソースドライバー８に送られる。
【００４５】マルチプレクサー１９で、図６のフローチャートに示す切り替え動作が可能なように、図７に示す、やはり切り替え回路３１に内蔵されたゲート回路２０によって、この回路に入力される各切り替え信号Ｋ１〜Ｋ４および自動判別信号ＡＤを、マルチプレクサー制御信号ＳＥＬ１〜ＳＥＬ３に変換し、これらの信号を前記マルチプレクサー１９に送る。マルチプレクサー１９は、送られたＳＥＬ１〜ＳＥＬ３に基づいて、複数種類入力されているスタートパルスの中から、１つのスタートパルスを選択する。マルチプレクサー制御信号ＳＥＬ１〜ＳＥＬ３と、選択されるスタートパルスとの関係を図８に示す。
【００４６】以上の様な切り替えを、ソースドライバー８およびゲートドライバー９の、全てのコントロール信号に適用し、表示を切り替える。」
　
キ　「【００５５】Ｓ７では、４：３／１６：９切り替え信号Ｋ１が調べられ、この４：３／１６：９切り替え信号Ｋ１がＨｉｇｈであれば、映像信号の形式はＮＴＳＣで、この信号をアスペクト比１６：９で表示させることが判明するのでＳ８へ進む。４：３／１６：９切り替え信号Ｋ１がＬｏｗであれば、映像信号の形式はＮＴＳＣで、この信号をアスペクト比４：３で表示させることが判明するのでＳ９へ進む。
【００５６】Ｓ８では、ノーマル／拡大切り替え信号Ｋ２が調べられ、このノーマル／拡大切り替え信号Ｋ２がＨｉｇｈであれば、映像の拡大表示を行うので、ＮＴＳＣ１６：９の拡大表示となり、この表示方式に切り替えられる。ノーマル／拡大切り替え信号Ｋ２がＬｏｗであれば、映像は拡大されず、ノーマル表示が行われるので、ＮＴＳＣ１６：９のノーマル表示となり、この表示方式に切り替えられる。
【００５７】Ｓ９では、ノーマル／拡大切り替え信号Ｋ２が調べられ、このノーマル／拡大切り替え信号Ｋ２がＨｉｇｈであれば、映像の拡大表示を行うので、ＮＴＳＣ４：３の拡大表示となり、この表示方式に切り替えられる。ノーマル／拡大切り替え信号Ｋ２がＬｏｗであれば、映像は拡大されず、ノーマル表示が行われるので、ＮＴＳＣ４：３のノーマル表示となり、この表示方式に切り替えられる。」
　
ク　「【００５８】
【発明の効果】本発明によれば、大容量のメモリを用いることなく、映像表示装置に各種の形式の映像を表示させることができるので、装置のコストを抑え、また消費電力をも抑えることができる。」
　
（２）　刊行物１に記載された発明の認定
ア　全体（ＬＤＣ映像表示装置の駆動方法）
　前記「（１）ア〜ク」によれば、刊行物１記載発明（以下、「引用発明」という）として「ＬＣＤ映像表示装置の駆動方法」の発明を認めることができることは明らかであり、同ＬＣＤ映像表示装置は、「入力映像信号を、該入力映像信号の形式と異なる形式の映像として、複数の画素がマトリクス配置された表示パネルに表示させる映像表示装置」（段落【０００７】）であり、「映像表示装置に入力される映像信号の種類には、ＮＴＳＣ、ＰＡＬ、ＨＤＴＶがある」（段落【００２８】）ものである。
　したがって、全体として「ＮＴＳＣ、ＰＡＬ、ＨＤＴＶなる種類の映像信号を入力映像信号とし、該入力映像信号の形式と異なる形式の映像として、複数の画素がマトリクス配置された表示パネルに表示させるＬＣＤ映像表示装置の駆動方法」の発明を認めることができる。
　
イ　表示パネルの構成
　刊行物１に記載の映像表示装置は前記「（１）ウ」に示したとおり、「表示パネルを駆動するゲートドライバーの制御信号及び前記表示パネルを駆動するソースドライバーの制御信号を生成するドライバー制御信号発生手段」を備えており、刊行物１の図１及び３、並びに前記「（１）エ」（特に段落【００１６】及び【００１７】）及び前記「（１）カ」（段落【００４１】及び【００４２】）を参照すれば、「ＴＦＴ−ＬＣＤドライバーコントロール回路３の出力は、ソースドライバー８およびゲートドライバー９に入力されて」おり、「ソースドライバー８およびゲートドライバー９の出力は、ＴＦＴ−ＬＣＤ１０に入力されて」おり、ソースドライバーには、「映像データ並べ替え回路１５の出力」、及び、「ＬＣＤドライバーコントロール回路」から「ソースドライバーコントロール信号」が供給されるとされている。
　つまり、ＴＦＴ−ＬＣＤドライバーコントロール回路からの出力がゲートドライバーに入力され、ゲートドライバーの出力はＴＦＴ−ＬＣＤに入力されている。そして、ソースドライバーには映像データが入力されており、ソースドライバーの出力もＴＦＴ−ＬＣＤに入力されている。
　刊行物１には、ＴＦＴ−ＬＣＤ１０の詳細構造は示されていないものの、一般にＴＦＴ−ＬＣＤにおいては、ゲートラインとソースラインの交差部にスイッチング素子としてのＴＦＴを設け、当該ＴＦＴに画素電極としての液晶を接続するように構成されるものであり（例えば、特開２００３−１２１６２９号公報（段落【０００９】等）、特開２００２−２０２７３４号公報（段落【０００４】等）、特開２００２−１０８２８８号公報（請求項１等）、特開２００２−９９２５２号公報（段落【０００２】等）、特開２０００−３３８４６４号公報（段落【０１４８】等）等参照）、その「ソースライン」は本願補正発明でいう「データライン」に相当することは明らかであるから、刊行物１に記載の映像表示装置におけるＴＦＴ−ＬＣＤ１０も、ゲートラインと（本願補正発明でいう）データラインの交差部毎に画素としての液晶セルを設けているものであるということができる。
　
　以上によれば、引用発明の映像表示装置のＬＣＤは「ゲートラインとデータラインの交点毎に液晶セルが配置されている」ものといえる。
　
ウ　表示パネルの駆動
（ア）表示パネルの駆動に関しては、上記「（１）　ウ」から、刊行物１に記載の映像表示装置は、
　「入力映像信号から、該入力映像信号の形式を判別する判別手段と、前記表示パネルに表示させる映像の形式を指定する指定手段と、前記表示パネルに表示させる映像の形式に対応させて、前記表示パネルを駆動するゲートドライバーの制御信号及び前記表示パネルを駆動するソースドライバーの制御信号を生成するドライバー制御信号発生手段と」「を備え」、「前記判別手段による入力映像信号の形式判別及び前記指定手段による表示形式の指定に基づいて、前記ドライバー制御信号発生手段から出力されるゲートドライバーの制御信号及びソースドライバーの制御信号を選択する」ようにするものである。
　
（イ）さらに、上記「（１）　カ」に示した「ＴＦＴ−ＬＣＤドライバーコントロール回路」の動作説明及び刊行物１の図３によれば、刊行物１に記載の映像表示装置は、「ドライバーコントロール信号の選択は、切り替え回路３１に入力される４：３／１６：９切り替え信号Ｋ１、ノーマル／拡大切り替え信号Ｋ２、ＨＤＴＶ切り替え信号Ｋ３、１０８０／１０３５切り替え信号Ｋ４、自動判別信号ＡＤに基づいて行われ」、「切り替え回路３１では、入力された」「各表示形式に応じたドライバーコントロール信号」「の中から、所望のドライバーコントロール信号のみが選択され、出力され」、「切り替え回路３１からの出力は、ソースドライバーコントロール信号とゲートドライバーコントロール信号とに分割されて出力され、これらの出力は、それぞれソースドライバー８とゲートドライバー９とに入力される」ものである。
　
（ウ）これら（ア）、（イ）を踏まえれば、刊行物１に記載の映像表示装置は、
「入力映像信号から、該入力映像信号の形式を判別する判別手段と、前記表示パネルに表示させる映像の形式を指定する指定手段と、前記表示パネルに表示させる映像の形式に対応させて、前記表示パネルを駆動するゲートドライバーコントロール信号及び前記表示パネルを駆動するソースドライバーコントロール信号を生成するＴＦＴ−ＬＣＤドライバーコントロール回路とを備え、
　ドライバーコントロール信号の選択は、切り替え回路３１に入力される４：３／１６：９切り替え信号Ｋ１、ノーマル／拡大切り替え信号Ｋ２、ＨＤＴＶ切り替え信号Ｋ３、１０８０／１０３５切り替え信号Ｋ４、自動判別信号ＡＤに基づいて行われ、切り替え回路３１では、入力された各表示形式に応じたドライバーコントロール信号の中から、所望のドライバーコントロール信号のみが選択され、出力され、切り替え回路３１からの出力は、ソースドライバーコントロール信号とゲートドライバーコントロール信号とに分割されて出力され、これらの出力は、それぞれソースドライバー８とゲートドライバー９とに入力され、
　前記判別手段による入力映像信号の形式判別（自動判別信号ＡＤ）及び前記指定手段による表示形式の指定（切り替え信号Ｋ１〜Ｋ４）に基づいて、前記ドライバー制御信号発生手段から出力されるゲートドライバーコントロール信号及びソースドライバーコントロール信号を選択するように構成され」
ている。
　
エ　表示パネルに表示させる映像の形式の指定
　上記「（１）オ」（段落【００２９】）によれば、刊行物１に記載の映像表示装置は、入力画像がＮＴＳＣの場合については、表示する映像の形式として、「入力された映像をそのまま表示させる方法、すなわちノーマル表示と、拡大して表示させる方法、すなわち拡大表示とがあ」り、「縦横比を４：３のままで表示させるか、あるいは１６：９として表示させるかが選択される」ように構成されている。
　そして、図４を参照すれば、
　「実際の走査線数が４８５本のＮＴＳＣが入力された場合、水平方向有効表示画素数６４７，垂直方向有効画素数４８４のノーマル４：３，水平方向有効画素数８６２，垂直方向有効画素数４８４のノーマル１６：９，水平方向有効画素数７２０、垂直方向有効画素数約５４０の拡大４：３，水平方向有効画素数９６０、垂直方向有効画素数約５４０の拡大１６：９」
の４種類の表示形式から選択されるように構成されている。
　さらに、上記「（１）キ」によれば、「４：３／１６：９切り替え信号Ｋ１」、「ノーマル／拡大切り替え信号Ｋ２」に応じて、表示形式が切り換えられるように構成されており、上記ウも踏まえれば、「切り替え信号Ｋ１〜Ｋ４のうち少なくともＫ１、Ｋ２に応答して４つの表示形式から１つを選択することが出来るようにしている」と認められる。
　
オ　引用発明
　以上を踏まえ、上記刊行物１記載事項及び図面を総合勘案すると、刊行物１記載の発明（引用発明）として、次のものを認めることができる。
　
「ＮＴＳＣ、ＰＡＬ、ＨＤＴＶなる種類の映像信号を入力映像信号とし、該入力映像信号の形式と異なる形式の映像として、複数の画素がマトリクス配置された表示パネルに表示させる、ゲートラインとソースラインの交点毎に液晶セルが配置されているＬＣＤ映像表示装置の駆動方法であって、
　前記入力映像信号から、該入力映像信号の形式を判別する判別手段と、前記表示パネルに表示させる映像の形式を指定する指定手段と、前記表示パネルに表示させる映像の形式に対応させて、前記表示パネルを駆動するゲートドライバーコントロール信号及び前記表示パネルを駆動するソースドライバーコントロール信号を生成するＴＦＴ−ＬＣＤドライバーコントロール回路とを備え、
　ドライバーコントロール信号の選択は、切り替え回路３１に入力される４：３／１６：９切り替え信号Ｋ１、ノーマル／拡大切り替え信号Ｋ２、ＨＤＴＶ切り替え信号Ｋ３、１０８０／１０３５切り替え信号Ｋ４、自動判別信号ＡＤに基づいて行われ、切り替え回路３１では、入力された各表示形式に応じたドライバーコントロール信号の中から、所望のドライバーコントロール信号のみが選択され、出力され、切り替え回路３１からの出力は、ソースドライバーコントロール信号とゲートドライバーコントロール信号とに分割されて出力され、これらの出力は、それぞれソースドライバー８とゲートドライバー９とに入力され、
　前記判別手段による入力映像信号の形式判別（自動判別信号ＡＤ）及び前記指定手段による表示形式の指定（切り替え信号Ｋ１〜Ｋ４）に基づいて、前記ドライバー制御信号発生手段から出力されるゲートドライバーコントロール信号及びソースドライバーコントロール信号を選択するように構成され、
　入力画像がＮＴＳＣの場合については、表示する映像の形式として、入力された映像をそのまま表示させる方法、すなわちノーマル表示と、拡大して表示させる方法、すなわち拡大表示とがあり、縦横比を４：３のままで表示させるか、あるいは１６：９として表示させるかが選択され、
　具体的には、実際の走査線数が４８５本のＮＴＳＣが入力された場合、水平方向有効表示画素数６４７，垂直方向有効画素数４８４のノーマル４：３，水平方向有効画素数８６２，垂直方向有効画素数４８４のノーマル１６：９，水平方向有効画素数７２０、垂直方向有効画素数約５４０の拡大４：３，水平方向有効画素数９６０、垂直方向有効画素数約５４０の拡大１６：９の４種類の表示形式から選択され、
　４：３／１６：９切り替え信号Ｋ１、ノーマル／拡大切り替え信号Ｋ２に応じて、表示形式が切り換えられ、
　切り替え信号Ｋ１〜Ｋ４のうち少なくともＫ１、Ｋ２に応答して４つの表示形式から１つを選択することが出来るようにしている
ＬＤＣ映像表示装置の駆動方法。」
　
（３）対比
　本願補正発明を引用発明と比較する。
ア　「ゲートラインとデータラインの交差部それぞれに液晶セルが配列されてテレビ放送によって入力される映像信号と異なる映像フォーマットで前記映像信号を表示するための液晶パネルを用意する工程」について
　
（ア）「ゲートラインとデータラインの交差部それぞれに液晶セルが配列されて」「映像信号を表示するための液晶パネルを用意する」ことについて
　引用発明は、「ＬＣＤ映像表示装置の駆動方法」に関するものであり、ＬＣＤは液晶ディスプレイであるから、表示装置として液晶パネルが用意されていると解することができ、ＬＣＤは映像を表示するものであるから、引用発明は「ゲートラインとデータラインの交差部それぞれに液晶セルが配列されて映像信号を表示するための液晶パネルを用意する工程」を有しているということができる。
　
（イ）「テレビ放送によって入力される映像信号と異なる映像フォーマットで前記映像信号を表示する」ことについて
　引用発明は、「ＮＴＳＣ、ＰＡＬ、ＨＤＴＶなる種類の映像信号を入力映像信号と」するものであり、これらの信号はテレビ放送に用いられているものである。
　本願補正発明でいう上記「映像フォーマット」とは映像の表示形式をいうことは明らかであるところ、引用発明は「該入力映像信号を、該入力映像信号の形式と異なる形式の映像として、複数の画素がマトリクス配置された表示パネルに表示させる」ものであるから、「テレビ放送によって入力される映像信号と異なる映像フォーマットで前記映像信号を表示する」といえる。
　
（ウ）まとめ
　以上によれば、引用発明は、上記の工程、すなわち「ゲートラインとデータラインの交差部それぞれに液晶セルが配列されてテレビ放送によって入力される映像信号と異なる映像フォーマットで前記映像信号を表示するための液晶パネルを用意する工程」を含むとする点で本願補正発明と相違しない。
　
イ　「使用者の映像フォーマットの選択のためのスイッチング操作によりパルス信号を生成する工程と、カウンターを利用して前記パルス信号によって表示される前記使用者のスイッチング操作回数をカウンティングする工程と、前記カウンターから供給される入力信号に応答して前記液晶パネルに表示される前記映像信号の横及び縦の比率を調整することによって前記映像信号の映像フォーマットを変更する工程と、を含み、前記入力信号は、前記使用者のスイッチング操作回数によって変更されること」について
　
（ア）「入力信号」について
　本願補正発明でいう「入力信号」は、「映像フォーマットの選択のため」の信号といえるところ、引用発明の「４：３／１６：９切り替え信号Ｋ１」や「ノーマル／拡大切り替え信号Ｋ２」も、これらの信号Ｋ１、Ｋ２に応じて、表示形式が切り換えられるものであるから、「映像フォーマットの選択のための入力信号」と言いえるものである。
　
（イ）「使用者の映像フォーマットの選択のための・・・入力信号に応答して前記液晶パネルに表示される前記映像信号の横及び縦の比率を調整することによって前記映像信号の映像フォーマットを変更する工程」について
　
　本願補正発明は、「使用者の映像フォーマットの選択のための」「入力信号に応答して前記液晶パネルに表示される前記映像信号の横及び縦の比率を調整することによって前記映像信号の映像フォーマットを変更する工程」を含むようにしているところ、
　引用発明は、「実際の走査線数が４８５本のＮＴＳＣが入力された場合、水平方向有効表示画素数６４７，垂直方向有効画素数４８４のノーマル４：３，水平方向有効画素数８６２，垂直方向有効画素数４８４のノーマル１６：９，水平方向有効画素数７２０、垂直方向有効画素数約５４０の拡大４：３，水平方向有効画素数９６０、垂直方向有効画素数約５４０の拡大１６：９の４種類の表示形式」のいずれかの表示形式で表示を行うように構成されていて、ＮＴＳＣの画像は縦横比が４：３であり、この入力画像を１６：９（ノーマル１６：９もしくは拡大１６：９）の画像として表示させるということは、「映像信号の横及び縦の比率を調整することによって映像信号の映像フォーマットを変更する」ものであり、この点において引用発明は本願補正発明と相違しない。
　
　そして、映像信号のフォーマットの変更の選択は、映像フォーマットの選択のための入力信号といえる切り替え信号Ｋ１，Ｋ２に応じてなされるものであるから、引用発明は「映像フォーマットの選択のための入力信号に応答して前記液晶パネルに表示される前記映像信号の横及び縦の比率を調整することによって前記映像信号の映像フォーマットを変更する工程と、を含」む点で、本願補正発明と相違しない。
　
　もっとも、当該映像フォーマットの選択を「使用者」が行うとはしていない点で相違する。
　
　（ウ）「使用者の映像フォーマットの選択のためのスイッチング操作によりパルス信号を生成する工程と、カウンターを利用して前記パルス信号によって表示される前記使用者のスイッチング操作回数をカウンティングする工程と、前記カウンターから供給される入力信号に応答して・・・前記映像信号の映像フォーマットを変更する工程と、を含み、前記入力信号は、前記使用者のスイッチング操作回数によって変更されること」について
　
　本願補正発明は、
「使用者がスイッチング操作によりパルス信号を生成する工程と、カウンターを利用して前記パルス信号によって表示される前記使用者のスイッチング操作回数をカウンティングする工程」を有し、
　入力信号が、
「前記カウンターから供給される入力信号」であって、
「前記使用者のスイッチング操作回数によって変更される」とするのに対し、
　引用発明はそのようにするとはしていない点で、本願補正発明と相違する。
　
ウ　一致点、相違点
　以上によれば、本願補正発明と引用発明の一致点、相違点は以下のとおりである。
　
＜一致点＞
「ゲートラインとデータラインの交差部それぞれに液晶セルが配列されてテレビ放送によって入力される映像信号と異なる映像フォーマットで前記映像信号を表示するための液晶パネルを用意する工程と、
　
映像フォーマットの選択のための入力信号
　
＜相違点＞
　本願補正発明は、
　「使用者がスイッチング操作によりパルス信号を生成する工程と、
　「カウンターを利用して前記パルス信号によって表示される前記使用者のスイッチング操作回数をカウンティングする工程」を含むとし、
　
映像フォーマットの選択のための入力信号
　前記カウンターから供給される入力信号であって、前記使用者のスイッチング操作回数によって変更される信号
　とするのに対して、
　引用発明は、
　そのような「・・・パルス信号を生成する工程」、「カウンターを利用して・・・カウンティングする工程」を含むとせず、
　映像フォーマットの選択のための入力信号（Ｋ１、Ｋ２）が、
　そのような、前記カウンターから供給される信号であって、前記使用者のスイッチング操作回数によって変更される信号
　とはしていない点。
　
（４）相違点に関する判断
ア　当業者は、引用発明の、映像フォーマットの選択のための入力信号は、使用者によって変更される信号であると、普通に想定するものである。
　
＜理由＞
（ア）引用発明では、入力映像信号の形式については、明示的に「自動的に」判別する（入力映像信号の形式を判別する判別手段による）とする一方、表示パネルに表示させる映像の形式については自動か手動かを明示していない。
（イ）その上、引用発明の表示装置は、「走査線数が４８５本のＮＴＳＣ」という一種類の入力信号に対して、４種類の複数の表示形式から一つが選択され得るようにされ、かつ、選択された任意の表示形式で表示できる自由度を有しているものである。にもかかわらず、刊行物１には、「走査線数が４８５本のＮＴＳＣ」という一種類の入力信号に対して、４種類の複数の表示形式から１つを自動で選択するための、手法・基準については全く記載されていない。してみれば、「走査線数が４８５本のＮＴＳＣ」という一種類の入力信号に対して、４種類の複数の表示形式から１つを選択するための信号は、自動ではなく、使用者によって変更される信号であると、普通に想定するものであるといえる。
（ウ）　周知事項の存在
　引用発明と同様の、入力映像信号を入力映像信号と異なるフォーマットで表示するために映像フォーマットを変換して表示する、という表示装置において、どのような映像フォーマットに変換するか使用者が選択する構成とすることはごく普通の周知事項である。
　これには例えば下記の周知例１、２が参照される。
　これら周知例１、２に示されるように、どのような映像フォーマットに変換するか使用者が選択する構成とすることはごく普通の周知事項であることにかんがみても、引用発明において、映像信号フォーマットの選択のための入力信号を、使用者が選択するようにすることは、当業者であれば、普通に想定するものであるといえる。
　
イ　上記「ア」のとおり、当業者は、引用発明において、Ｋ１、Ｋ２は、使用者の選択に基づいて作成された複数の制御信号であると、普通に想定するところ、
　使用者が多数のもの（刊行物４では６つのトリガＳＯＵＲＣＥの各モード、刊行物５では４種類の符号）から１を選択するのに、スイッチ数を減らす等のために、
　使用者が、複数の個別のＯＮ／ＯＦＦ制御信号を発生させ、その組み合わせにより１を選択する手法に代えて、
　スイッチング操作によりパルス信号を生成し、カウンターを利用して前記パルス信号によって示される前記使用者のスイッチング操作回数をカウントし、前記カウンターから供給される入力信号により、選択の指示を示し、前記入力信号は、前記使用者のスイッチング操作回数によって変更されるようにする手法は、原査定の拒絶の理由において示したとおり（下記（刊行物に記載の技術）参照）、本件出願以前に既に知られた技術である。
　
　引用発明は、入力信号がＮＴＳＣの場合に、切り替え信号Ｋ１、Ｋ２の２つの制御信号の組み合わせにより４つの表示形式から１を選択するように構成されているが、
　このように多数のものから１を選択するのに、スイッチ数を減らす等のために、使用者が個別のＯＮ／ＯＦＦ制御信号を発生させ、その組み合わせにより表示形式を選択する手法に代えて、スイッチング操作によりパルス信号を生成し、カウンターを利用して前記パルス信号によって示される前記使用者のスイッチング操作回数をカウントし、前記カウンターから供給される入力信号により、選択の指示を示し、前記入力信号は、前記使用者のスイッチング操作回数によって変更されるようにすることは、刊行物４、５に記載のごとく本件出願以前に既に知られた技術であること、
　刊行物４、５に記載の技術は、電子機器一般に適用できるごく一般的な技術であり、引用発明のような液晶表示装置にも適用可能であること、
　を踏まえれば、引用発明の映像フォーマットの選択のための入力信号（入力信号がＮＴＳＣの場合における、切り替え信号Ｋ１、Ｋ２の２つの制御信号の組み合わせ（これが、使用者の選択に基づいて作成されたと普通に想定されるものであることは、上記「ア」に示したとおりである。）により４つの表示形式から１を選択するために、刊行物４、５に記載のように行うようにすることは当業者であれば容易に想起し得たことであると認められ、また、そのようにすることに関して特段の困難な事情があるとも認められない。
　
ウ　判断についてのまとめ
　以上、引用発明において、「使用者がスイッチング操作によりパルス信号を生成する工程と、
　「カウンターを利用して前記パルス信号によって表示される前記使用者のスイッチング操作回数をカウンティングする工程」を含むとし、
　映像フォーマットの選択のための入力信号を、
　前記カウンターから供給される入力信号であって、前記使用者のスイッチング操作回数によって変更される信号として、本願発明とすることは、当業者であれば容易になし得たことである。
　そして、本願補正発明の効果は、その容易に想到できる構成から当業者が予測し得る範囲内のものであり、同範囲を超える格別顕著なものでもなく、本願補正発明は、引用発明、刊行物４，５に記載の技術、及び、周知技術に基づいて、当業者が容易に発明をすることができたものである。
　
　　　　　　　　　　　記　（周知例）
　
（ａ）周知例１：特開平７−２９８２１８号公報
　特開平７−２９８２１８号公報（以下、「刊行物２」という。）には、図面とともに次の記載がある。
　
　「【０００２】
【従来の技術】近年、ビスタサイズやシネスコサイズと呼ばれるレターボックス形式の映像ソフトが、放送やパッケージソフトなどでよく使用されている。このレターボックス形式の映像は、４：３映像の上下に無画部を作り、中央に横長の映像を入れてあり、ワイドアスペクト比を有するテレビジョン受像機などでは、このようなレターボックス形式の映像を垂直方向に拡大することにより画面いっぱいに表示する機能を有するものもある。
【０００３】図７に、従来の拡大機能を有するテレビジョン受像機の構成を示し、レターボックス形式の映像を受像した場合の拡大方法を説明する。
【０００４】複合映像信号が入力端子１を介して映像信号処理回路２へ供給される。ここでＹ／Ｃ分離および色復調などが行われ、映像出力信号が生成され、表示手段３へ出力される。
【０００５】また、このようなテレビジョン受像機は、一般にリモコン送信器４を備えており、使用者が選択したキースイッチに内容に応じて、リモコン送信器からテレビジョン受像機内の受信器５へ、画面の切り換え情報が送信される。さらに、この受信器５からマイクロコンピュータ６へ使用者が選択した画面サイズの切り換え情報が伝えられる。
【０００６】この情報からマイクロコンピュータ６は、使用者が画面サイズを切り換えたい旨を検知するとともに、出力ポートからＩＩＣバスを介して、検知内容に基づいて制御データを垂直偏向手段７へ伝達する。
【０００７】マイクロコンピュータ６は、ＩＩＣバス駆動用の回路を有しており、この駆動用の回路を用いて制御データを順次、シリアルに垂直偏向手段７へ転送する。
【０００８】垂直偏向手段７は、この指令を受け、拡大モードあるいは通常モードに対応する偏向信号をそれぞれ生成し、表示手段３へ供給する。
【０００９】なお、垂直偏向手段７は、ＩＩＣバス駆動回路を有しており、マイクロコンピュータ５からのシリアルデータを受信するとともにマイクロコンピュータ６へデータを送信可能に構成されている。また、垂直偏向手段７内は、データ内容を解読する機能を有しており、この解読内容に応じて、各モードの偏向信号が生成され、表示手段７へ出力される。
【００１０】このように、従来のテレビジョン受像機では、レターボックスを上下無画の映像でそのまま映出するか、垂直方向の画面を拡大して画面いっぱいにレターボックス形式の映像を映出するかは、すべて使用者の選択に基づいて行われている。」
　
　つまり、刊行物２には、テレビジョン受信機において、レターボックスを上下無画の映像でそのまま映出するか、垂直方向の画面を拡大して画面いっぱいにレターボックス形式の映像を映出するかを、使用者が選択するようにすることが記載されている。
　
（ｂ）周知例２：特開平７−８７４１５号公報
　特開平７−８７４１５号公報（以下、「刊行物３」という。）には、図面とともに次の記載がある。
　
「【０００２】
【従来の技術】従来、テレビジョン受像機等の映像表示装置では、画面の縦と横の比はＮＴＳＣ等の放送規格上、３：４が主流であった。
【０００３】しかしながら、近年、テレビジョン放送は臨場感や迫力を感じるために大画面化の傾向が増えてきた。そこで、テレビジョン信号を表示するブラウン管等においても、その大画面化に対応するために、アスペクト比が９：１６の横長な画面が浸透してきた。
【０００４】けれども、テレビジョン放送は全てのアスペクト比が９：１６の放送でなく、いまだ３：４の放送もある。また、放送によってはアスペクト比が３：４で画面の上下に無画像の領域を備えたものもある。その画面は例えば、シネマサイズ（またはシネスコサイズ）と呼ばれ、３：４（５１：６８）の画像に３６：６８だけの映像を乗せ、残りの部分が無画像領域で構成される映像信号がある。
【０００５】したがって、単一のアスペクト比を持つブラウン管においても複数の異なるアスペクト比の映像を表示する必要性がある。
【０００６】そこで、臨場感や迫力を生かすために９：１６のアスペクト比のブラウン管を用いて映像を表示する方法（表示モード）がある。
【０００７】まず、第１に３：４のアスペクト比を持つ映像は図９に示すように３：４の映像をそのまま表示するモード（以下ノーマルモードという：同図ａ）がある。次に、横方向の画面サイズに合わし、縦方向もその拡大した率で拡大し、画像を上下画面からはみ出し、真円率（真円を描いたときに縦横の歪みを示すもの）を１に保って表示するモード（以下ズームモードという：同図ｂ）がある。また、縦方向には拡大せず、横方向の画面サイズに合わし、真円率を１とせず、表示するモード（以下：フルモードという：同図ｃ）がある。さらに、ズームモードとフルモードとを組み合わせ、画面中央部の真円率を保ちつつ、画面の左右部は横長の映像で表示するモード（以下パノラマモードという：同図ｄ）がある。
【０００８】そして、９：１６のブラウン管において、入力された映像信号が３：４の画面（以下レギュラーモード）の映像の場合、ノーマルモード或るいはパノラマモードで表示することがある。また、入力された映像信号がシネマサイズ等の上下に無画像部を備えるレターボックスタイプの画面はズームモードで表示することがある。
【０００９】また、視聴者は自らが夫々のモードを選択し、切り替えることで、表示モードを切り替えている。」
　
　以上のとおり、刊行物３には、テレビジョン受像器等の映像表示装置において、ノーマルモード、フルモード、パノラマモードといった複数の表示モードから、視聴者自らが表示モードを選択し、切り替えるようにすることが記載されている。
　
　　　　　　　　記　（刊行物に記載の技術）
（ａ）原査定の拒絶の理由に引用された特開昭６２−２４７２６５号公報（以下、「刊行物４」という。）には、図面とともに次の記載がある。
　
　「従来は各動作モード選択用として押釦スイッチを設け、これら各スイッチの近傍の前面パネル上に、対応する動作モード名又はその省略記号を印刷記入するのが一般的である。
　しかし、このような従来の構成では、必要とする押釦スイッチは、選択されるモード或いは機能の数だけ必要であり、前面パネル上に多数配列されることとなる。したがって、このように配置された押釦スイッチは、前面パネル上に広い面積を占め、小型化を困難にすると共に操作に熟練を要し迅速な操作を困難にする。更に、この種の電子計測器は暗い（低照明）環境下で使用されることが多く、したがってどのモードが選択（設定）されているかを認識するのが容易でなく、重大な測定ミスを犯す慮れもあった。更にまた、多数の操作スイッチ含前面パネル上に配列することは機器のデザイン（美観）上も好ましくなかった。」（第２ページ左上欄第７行目〜右上欄第３行目）
　
　「具体的回路構成については後述するが、第１図の表示装置２３をオシロスコープのトリガ回路のＳＯＵＲＣＥ（信号源）選択用に使用する場合の動作を第２図を参照して説明する。第２図左端に示す如く、表示装置２３は、トリガＳＯＵＲＣＥの各モード（即ち、ＶＥＲＴ、ＣＨＩ，ＣＨ２，ＣＨ３，ＣＨ４及びＬＩＮＥ）を表示するものであり、各モードは、制御スイッチＳＷ１で選択される。電子機器の電源を最初にＯＮとすると、予め決められたモード、例えばＶＥＲＴ（ｖｅｒｔｉｃａｌ＝垂直）モードが選択される。・・・（中略）・・・この場合にはＬＥＤ７２ａがＯＮとなり、その前面のプラスチック板６２に印刷されているＶＥＲＴが表示され、垂直モードが選択されていることを示す。次に、制御スイッチＳＷＩの制御レバー７４を押し下げると次のモードＣＨ１が選択され、ＬＥＤ７２ａに代って７２ｂがＯＮとなり、その前面のプラスチック板６２上の文字ＣＨＩが照明表示される。以下同様に、制御レバー７４を押す毎に、モードＣＨ２，ＣＨ３，ＣＨ４及びＬＩＮＥが順次選択され、ＬＥＤ７２ｃ，７２ｄ，７２ｅ，７２ｆが順次ＯＮとなり対応するモードの文字を照明表示する。・・・（中略）・・・このように、前面パネルに１個の制御スイッチＳＷＩを用いることにより、上述の場合には６種類の異なるモードが選択され且つ照明表示される。
・・・（中略）・・・
　第３図は第１図及び第２図に示したＳＯＵＲＣＥ、ＣＯＵＰＬＩＮＧ及びＭＯＤＥの各選択表示装置２３．２９及び３５を動作させる為の回路の一例を示す簡単なブロック図である。同図中、７７は第１図及び第２図中のＳＷＩ、ＳＷ２又はＳＷ３に相当する制御スイッチである。この制御スイッチ７７の操作レバーを押し上げ又は押し下げる毎に、パルス発生器７８が１個の出力パルスを発生する。この出力パルスをＵＰ／ＤＯＷＮカウンタ（可逆カウンタ）７６に印加して、制御スイッチ７７の制御レバー７４の操作方向に応じてカウントアツプ又はカウントダウンする。」（第３ページ左上欄第３行目〜右下欄第５行目）
　
（ｂ）原査定の拒絶の理由に引用された特開昭６１−１５８２４７号公報（以下、「刊行物５」という。）には、図面とともに次の記載がある。
　
　「《産業上の利用分野》
この発明は、予め設定された複数の符号の１つを、選択的に無線送信する場合等に好適な符号送信装置に関する。
《従来技術とその問題点》
従来の符号送信装置としては、例えば実開昭５６−１３０３６３号、実開昭５６−１３４８５３号等に記載されたものが知られている。
ところで、この種の装置にあっては、取付スペースの制約から小形化が要求されるため、符号選択スイッチ数に制限を受け、送信可能符号数をあまり増加することができないという問題がある。
《発明の目的》
この発明の目的は、この種の符号送信装置において、大型化を招くことなく、送信可能符号数を可及的に増大させることにある。
《発明の構成》
この発明は、上記の目的を達成するために、押ボタンスイッチの押圧操作回数により、送信符号が選択されるようにしたものである。
《実施例の説明》
　第１図は本発明実施例の構成を示すブロック図、第２図は第１図における各部の信号状態を示す波形図である。
　この実施例装置は、送信機能と受信機能とを併有する送受信装置として構成されており、受信に際しては２種類の符号を受信することができ、また送信に際しては４種類の符号を送信できるようになっている。
・・・（中略）・・・
　以下、この実施例装置の構成をその動作とともに系統的に説明する。
　まず、送信の場合から説明する。押ボタンスイッチ１はモメンタリタイプで構成され、装置ケース（図示せず）の表面に取り付けられている。
　チャタリング回避回路２は、押ボタンスイッチ１の操作時に発生するチャタリングノイズを吸収するもので、同回路２からはスイッチ１か押圧操作されるたびに、１個の矩形パルスが出力される（第２図ａ点参照）。
　積分回路３．波形整形回ｆ８４およびワンショットマルチバイブレータ５は、押ボタンスイッチ１による一連の押圧操作が終了したことを検出するもので、すなわち積分回路３の出力電圧（充電電圧）は、押ボタンスイッチ１が所定時間以内のインターバルで練り返し押圧されている限り、波形整形回路４のしきい値以上となり、この期間における波形整形回路４の出力は“Ｈ”に維持されている（第２図ｂ点参照）。
　これに対して、押ボタンスイッチ１における最後の押圧操作時点から、時間Ｔが経過すると（第２図ａ点、ｂ点参照）、波形整形回路４の出力は“Ｈ”から“Ｌ”に立下り、この立下りに応答してワンショットマルチバイブレータ５がトリガされ、ｅｎａｂｌｅ用のワンショットパルスが出力される（第２図ｅｎａｂｌｅ参照）。
　一方、カウンタおよびデコーダ回路６では、チャタリング回避回路２からの出力パルスの立上りをカウントするとともに、このカウント値をデコードしており、このデコード出力はワンショットマルチバイブレータ５の出力によって内蔵ゲートが開かれた場合に限り、端子ｄ、〜ｄ４の何れかに択一的に出力される（第２図ｄ１〜ｄ４参照）。
　このようにして、符号発生回路７に対して、カウンタおよびデコーダ回路６の出力が供給されると、何れの出力ｄ１〜ｄ４にＨ１ｌパルスが供給されるかに応じて、符号発生回路７からは４種類の符号の１つが択一的に出力され、同時に電源制御回路１８に対して送信電源を要求する旨の指令が与えられる。」（第１ページ左下欄第１４行目〜第２ページ左下欄第６行目）
　
　「このように、本実施例送受信装置では、適宜送受信置動作を選択的に行なうことができるとともに、送信動作においては、１個の押ボタンスイッチ１の押圧操作回数によって、予め設定された４種類の符号の何れか１つを送信符号として選択することができ、このためカウンタおよびデコーダ回路６の桁数を増加して符号発生回路に記憶された発生符号数を増大させたとしても、押ボタンスイッチの個数については１個で済み、この種装置の携帯性を確保しつつも、送信可能符号数を可及的に増大させることができる。」（第２ページ右下欄第１０行目〜第２０行目）
　
　以上のとおり、使用者が多数のもの（刊行物４では６つのトリガＳＯＵＲＣＥの各モード、刊行物５では４種類の符号）から１を選択するのに、スイッチ数を減らす等のために、
　使用者が、複数の個別のＯＮ／ＯＦＦ制御信号を発生させ、その組み合わせにより１を選択する手法に代えて、スイッチング操作によりパルス信号を生成し、カウンターを利用して前記パルス信号によって示される前記使用者のスイッチング操作回数をカウントし、前記カウンターから供給される入力信号により、選択の指示を示し、前記入力信号は、前記使用者のスイッチング操作回数によって変更されるようにする技術が刊行物４、５には記載されている。
　
（５）独立特許要件についてのまとめ
　以上のとおり、本願補正発明は、刊行物１に記載された発明、刊行物４，５に記載の技術、及び、周知技術に基づいて、当業者が容易に発明をすることができたものであるから、特許法第２９条第２項の規定により、特許出願の際独立して特許を受けることができないものである。
　
４．本件補正についての結び
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、［補正却下の決定の結論］のとおり決定する。
　
第３　本願発明について
１．本願発明
　平成１９年４月６日付けの手続補正は上記のとおり却下されたので、本願の請求項１９に係る発明（以下、同項記載の発明を「本願発明」という。）は、平成１８年１２月５日付手続補正書の特許請求の範囲の請求項１９に記載された事項により特定される、以下のとおりのものである。
　
「ゲートラインとデータラインの交差部それぞれに液晶セルが配列されてテレビ放送によって入力される映像信号と異なる映像フォーマットで前記映像信号を表示するための液晶パネルを用意する工程と、使用者の操作によりパルス信号を生成する工程と、カウンターを利用して前記パルス信号をカウンティングする工程と、前記カウンターから供給される入力信号に応答して前記液晶パネルに表示される前記映像信号の横及び縦の比率を調整することによって前記映像信号の映像フォーマットを変更する工程と、を含むことを特徴とする液晶表示装置の駆動方法。」
　
２．引用刊行物
　原査定の拒絶の理由に引用された特開２０００−３３８９２５号公報（上記「刊行物１」に同じ。）には、前記のとおりの記載があり、前記のとおりの引用発明を認定する。
　
３．対比
　本願発明は、上記「第２」で検討した本願補正発明において、
（１）「使用者の映像フォーマットの選択のためのスイッチング操作」を「使用者の操作」として、操作に関して「映像フォーマットの選択のためのスイッチング」という限定事項を省き、
（２）「前記パルス信号によって表示される前記使用者のスイッチング操作回数をカウンティングする工程」を「前記パルス信号をカウンティングする工程」として「によって表示される前記使用者のスイッチング操作回数を」という限定事項を省き、
（３）「前記入力信号は、前記使用者のスイッチング操作回数によって変更される」という限定事項を省いたものである。
　
　したがって、本願発明と引用発明の一致点、相違点は以下のとおりである。
　
＜一致点＞
「ゲートラインとデータラインの交差部それぞれに液晶セルが配列されてテレビ放送によって入力される映像信号と異なる映像フォーマットで前記映像信号を表示するための液晶パネルを用意する工程と、
　
入力信号
　
＜相違点＞
　本願発明は、
　「使用者の操作によりパルス信号を生成する工程と、
　「カウンターを利用して前記パルス信号をカウンティングする工程」を含むとし、
　
入力信号
　前記カウンターから供給される入力信号、
　とするのに対して、
　引用発明は、
　そのような「使用者の操作によりパルス信号を生成する工程」と、「カウンターを利用して前記パルス信号をカウンティングする工程」を含むとせず、
　入力信号が、
　前記カウンターから供給される入力信号、
　とはしていない点。
　
４．判断
　上記相違点に関しては、上記本願補正発明に係る相違点についてした判断と同様であり、引用発明において、
　「使用者の操作によりパルス信号を生成する工程」と、「カウンターを利用して前記パルス信号をカウンティングする工程」を含むとし、
　入力信号を、
　前記カウンターから供給される入力信号として、本願発明とすることは、当業者であれば容易になし得たことである。
　そして、本願発明の効果は、その容易に想到できる構成から当業者が予測し得る範囲内のものである。
　
５．むすび
　以上のとおり、本願の請求項１９に係る発明は、刊行物１に記載された発明、刊行物４，５に記載の技術、及び、周知技術に基づいて、当業者が容易に発明をすることができたものであるから、特許法第２９条第２項の規定により特許を受けることができない。
　したがって、その余の請求項について言及するまでもなく、本願は、拒絶すべきものである。
　よって、結論のとおり審決する。